(57)【要約】      （修正有）【課題】包装用袋の側面シート部に側面フラップを形成することにより、側面シート部が撓んだり弛んだりすることを防止して包装後の外観品質を高める側面フラップ付フィルムシート包装用袋を提供する。【解決手段】側面フラップ付フィルムシート包装用袋１０は、第１シート１２と、第２シートとを備えている。第１シート１２の中央部には正面シート部２０が形成され、正面シート部２０の上部には正面フラップ３０が形成されている。第２シートの中央部には背面シート部が形成され、背面シート部の上部には背面フラップ４２が形成されている。第１側面シート部の上部には第１側面フラップが形成されている。第２側面シート部の上部には第２側面フラップが形成されている。【選択図】図１
0003186273.tif 000002
【実用新案登録請求の範囲】
【請求項１】
フィルムシートで形成された第１シートと、フィルムシートで形成された第２シートと、この第１シートと第２シートの一側に形成された第１シール部と、前記第１シートと第２シートの他側に形成された第２シール部と、前記第１シートと第２シートの下端部に形成された底面部と、前記第１シートの中央部に形成された正面シート部と、前記第１シートの一側部に形成されると共に第１側面シート部を形成する第１側面シート部第１片と、前記第１シートの一側部の上部に上下方向に形成されると共に前記正面シート部と前記第１側面シート部第１片を区画する第１シート第１切込と、前記第１シートの他側部に形成されると共に第２側面シート部を形成する第２側面シート部第１片と、前記第１シートの他側部の上部に上下方向に形成されると共に前記正面シート部と前記第２側面シート部第１片を区画する第１シート第２切込と、前記正面シート部の上部に形成された正面フラップと、前記第２シートの中央部に形成された背面シート部と、前記第２シートの一側部に形成されると共に前記第１側面シート部第１片と前記第１側面シート部を形成する第１側面シート部第２片と、前記第２シートの一側部の上部に上下方向に形成されると共に前記背面シート部と前記第１側面シート部第２片を区画する第２シート第１切込と、前記第２シートの他側部に形成されると共に前記第２側面シート部第１片と前記第２側面シート部を形成する第２側面シート部第２片と、前記第２シートの他側部の上部に上下方向に形成されると共に前記背面シート部と第２側面シート部第２片を区画する第２シート第２切込と、前記背面シート部の上部に形成された背面フラップと、前記第１側面シート部の上部に形成された第１側面フラップと、前記第２側面シート部の上部に形成された第２側面フラップと、を有してなることを特徴とする側面フラップ付フィルムシート包装用袋。
【請求項２】
フィルムシートで形成された第１シートと、フィルムシートで形成された第２シートと、この第１シートと第２シートの一側に形成された第１シール部と、前記第１シートと第２シートの他側に形成された第２シール部と、前記第１シートと第２シートの下端部に形成された底面部と、前記第１シートの中央部に形成された正面シート部と、前記第１シートの一側部に形成されると共に第１側面シート部を形成する第１側面シート部第１片と、前記第１シートの一側部の上部に上下方向に形成されると共に前記正面シート部と前記第１側面シート部第１片を区画する第１シート第１切込と、前記第１シートの他側部に形成されると共に第２側面シート部を形成する第２側面シート部第１片と、前記第１シートの他側部の上部に上下方向に形成されると共に前記正面シート部と前記第２側面シート部第１片を区画する第１シート第２切込と、前記正面シート部の上部に形成された正面フラップと、前記第２シートの中央部に形成された背面シート部と、前記第２シートの一側部に形成されると共に前記第１側面シート部第１片と前記第１側面シート部を構成する第１側面シート部第２片と、前記第２シートの一側部の上部に上下方向に形成されると共に前記背面シート部と前記第１側面シート部第２片を区画する第２シート第１切込と、前記第２シートの他側部に形成されると共に前記第２側面シート部第１片と前記第２側面シート部を形成する第２側面シート部第２片と、前記第２シートの他側部の上部に上下方向に形成されると共に前記背面シート部と第２側面シート部第２片を区画する第２シート第２切込と、前記背面シート部の上部に形成された背面フラップと、前記第１側面シート部の上部に形成されると共に前記正面シート部の横方向寸法の１／３以下の長さに形成された第１側面フラップと、前記第２側面シート部の上部に形成されると共に前記正面シート部の横方向寸法の１／３以下の長さに形成された第２側面フラップと、を有してなることを特徴とする側面フラップ付フィルムシート包装用袋。
【請求項３】
フィルムシートで形成された第１シートと、フィルムシートで形成された第２シートと、この第１シートと第２シートの一側に形成された第１シール部と、前記第１シートと第２シートの他側に形成された第２シール部と、前記第１シートと第２シートの下端部に形成された底面部と、前記第１シートの中央部に形成された正面シート部と、前記第１シートの一側部に形成されると共に第１側面シート部を構成する第１側面シート部第１片と、前記第１シートの一側部の上部に上下方向に形成されると共に前記正面シート部と前記第１側面シート部第１片を区画する第１シート第１切込と、前記第１シートの他側部に形成されると共に第２側面シート部を構成する第２側面シート部第１片と、前記第１シートの他側部の上部に上下方向に形成されると共に前記正面シート部と前記第２側面シート部第１片を区画する第１シート第２切込と、前記正面シート部の上部に形成された正面フラップと、前記第２シートの中央部に形成された背面シート部と、前記第２シートの一側部に形成されると共に前記第１側面シート部第１片と前記第１側面シート部を形成する第１側面シート部第２片と、前記第２シートの一側部の上部に上下方向に向かって前記第１シート第１切込と対応して形成されると共に前記背面シート部と前記第１側面シート部第２片を区画する第２シート第１切込と、前記第２シートの他側部に形成されると共に前記第２側面シート部第１片と前記第２側面シート部を形成する第２側面シート部第２片と、前記第２シートの他側部の上部に前記第１シート第２切込と対応して上下方向に形成されると共に前記背面シート部と第２側面シート部第２片を区画する第２シート第２切込と、前記背面シート部の上部に形成されると共に前記正面フラップよりも長く形成された背面フラップと、この背面フラップの上部正面側に形成された粘着部と、この粘着部に着脱可能に取り付けられた剥離テープと、前記第１側面シート部の上部に形成されると共に前記正面シート部の横方向寸法の１／３以下の長さに形成された第１側面フラップと、前記第２側面シート部の上部に形成されると共に前記正面シート部の横方向寸法の１／３以下の長さに形成された第２側面フラップと、を有してなることを特徴とする側面フラップ付フィルムシート包装用袋。
【考案の詳細な説明】
【技術分野】
【０００１】
本考案は、包装用袋に関し、詳しくは書籍、化粧箱等の主に直方体状の被包装物を包装する側面フラップ付フィルムシート包装用袋に関する。
【背景技術】
【０００２】
従来より、書籍、化粧箱等をはじめとして直方体状の被包装物を包装する薄いフィルムシートで形成された包装用袋が提案され、使用されている。
しかし、従来のこのタイプの包装用袋の多くは包装用袋の側面シート部に側面フラップは形成されていない。
このため、前記包装用袋に直方体状の被包装物を収容して包装用袋の開口部を閉じる場合は包装用袋の正面シート部に形成されている正面フラップと包装用袋の背面シート部に形成されている背面フラップをそれぞれオーバーラップ状態に折り返して前記開口部を閉じている。
しかし、この場合、包装用袋の側面シート部に側面フラップが形成されていないため側面シート部が外側に向かって撓んだり、弛んだりしてしまい被包装物を包装した後の包装用袋の見た目が美しくなく外観品質を低下させてしまうという不具合がある。
【考案の概要】
【考案が解決しようとする課題】
【０００３】
本考案は、上記事実に鑑みなされたものであり、包装用袋の側面シート部に側面フラップを形成することにより、被包装物を包装した後の包装用袋の側面シート部が撓んだり弛んだりすることを可及的に防止して被包装物を包装した後の包装用袋の外観品質を高めることができる側面フラップ付フィルムシート包装用袋を提供するものである。
【課題を解決するための手段】
【０００４】
請求項１の考案は、フィルムシートで形成された第１シートと、フィルムシートで形成された第２シートと、この第１シートと第２シートの一側に形成された第１シール部と、前記第１シートと第２シートの他側に形成された第２シール部と、前記第１シートと第２シートの下端部に形成された底面部と、前記第１シートの中央部に形成された正面シート部と、前記第１シートの一側部に形成されると共に第１側面シート部を形成する第１側面シート部第１片と、前記第１シートの一側部の上部に上下方向に形成されると共に前記正面シート部と前記第１側面シート部第１片を区画する第１シート第１切込と、前記第１シートの他側部に形成されると共に第２側面シート部を形成する第２側面シート部第１片と、前記第１シートの他側部の上部に上下方向に形成されると共に前記正面シート部と前記第２側面シート部第１片を区画する第１シート第２切込と、前記正面シート部の上部に形成された正面フラップと、前記第２シートの中央部に形成された背面シート部と、前記第２シートの一側部に形成されると共に前記第１側面シート部第１片と前記第１側面シート部を形成する第１側面シート部第２片と、前記第２シートの一側部の上部に上下方向に形成されると共に前記背面シート部と前記第１側面シート部第２片を区画する第２シート第１切込と、前記第２シートの他側部に形成されると共に前記第２側面シート部第１片と前記第２側面シート部を形成する第２側面シート部第２片と、前記第２シートの他側部の上部に上下方向に形成されると共に前記背面シート部と第２側面シート部第２片を区画する第２シート第２切込と、前記背面シート部の上部に形成された背面フラップと、前記第１側面シート部の上部に形成された第１側面フラップと、前記第２側面シート部の上部に形成された第２側面フラップと、を有してなることを特徴としている。
請求項２の考案は、フィルムシートで形成された第１シートと、フィルムシートで形成された第２シートと、この第１シートと第２シートの一側に形成された第１シール部と、前記第１シートと第２シートの他側に形成された第２シール部と、前記第１シートと第２シートの下端部に形成された底面部と、前記第１シートの中央部に形成された正面シート部と、前記第１シートの一側部に形成されると共に第１側面シート部を形成する第１側面シート部第１片と、前記第１シートの一側部の上部に上下方向に形成されると共に前記正面シート部と前記第１側面シート部第１片を区画する第１シート第１切込と、前記第１シートの他側部に形成されると共に第２側面シート部を形成する第２側面シート部第１片と、前記第１シートの他側部の上部に上下方向に形成されると共に前記正面シート部と前記第２側面シート部第１片を区画する第１シート第２切込と、前記正面シート部の上部に形成された正面フラップと、前記第２シートの中央部に形成された背面シート部と、前記第２シートの一側部に形成されると共に前記第１側面シート部第１片と前記第１側面シート部を構成する第１側面シート部第２片と、前記第２シートの一側部の上部に上下方向に形成されると共に前記背面シート部と前記第１側面シート部第２片を区画する第２シート第１切込と、前記第２シートの他側部に形成されると共に前記第２側面シート部第１片と前記第２側面シート部を形成する第２側面シート部第２片と、前記第２シートの他側部の上部に上下方向に形成されると共に前記背面シート部と第２側面シート部第２片を区画する第２シート第２切込と、前記背面シート部の上部に形成された背面フラップと、前記第１側面シート部の上部に形成されると共に前記正面シート部の横方向寸法の１／３以下の長さに形成された第１側面フラップと、前記第２側面シート部の上部に形成されると共に前記正面シート部の横方向寸法の１／３以下の長さに形成された第２側面フラップと、を有してなることを特徴としている。
請求項３の考案は、フィルムシートで形成された第１シートと、フィルムシートで形成された第２シートと、この第１シートと第２シートの一側に形成された第１シール部と、前記第１シートと第２シートの他側に形成された第２シール部と、前記第１シートと第２シートの下端部に形成された底面部と、前記第１シートの中央部に形成された正面シート部と、前記第１シートの一側部に形成されると共に第１側面シート部を構成する第１側面シート部第１片と、前記第１シートの一側部の上部に上下方向に形成されると共に前記正面シート部と前記第１側面シート部第１片を区画する第１シート第１切込と、前記第１シートの他側部に形成されると共に第２側面シート部を構成する第２側面シート部第１片と、前記第１シートの他側部の上部に上下方向に形成されると共に前記正面シート部と前記第２側面シート部第１片を区画する第１シート第２切込と、前記正面シート部の上部に形成された正面フラップと、前記第２シートの中央部に形成された背面シート部と、前記第２シートの一側部に形成されると共に前記第１側面シート部第１片と前記第１側面シート部を形成する第１側面シート部第２片と、前記第２シートの一側部の上部に上下方向に向かって前記第１シート第１切込と対応して形成されると共に前記背面シート部と前記第１側面シート部第２片を区画する第２シート第１切込と、前記第２シートの他側部に形成されると共に前記第２側面シート部第１片と前記第２側面シート部を形成する第２側面シート部第２片と、前記第２シートの他側部の上部に前記第１シート第２切込と対応して上下方向に形成されると共に前記背面シート部と第２側面シート部第２片を区画する第２シート第２切込と、前記背面シート部の上部に形成されると共に前記正面フラップよりも長く形成された背面フラップと、この背面フラップの上部正面側に形成された粘着部と、この粘着部に着脱可能に取り付けられた剥離テープと、前記第１側面シート部の上部に形成されると共に前記正面シート部の横方向寸法の１／３以下の長さに形成された第１側面フラップと、前記第２側面シート部の上部に形成されると共に前記正面シート部の横方向寸法の１／３以下の長さに形成された第２側面フラップと、を有してなることを特徴としている。
【考案の効果】
【０００５】
本考案の側面フラップ付フィルムシート包装用袋は、被包装物を包装した後に側面シート部が撓んだり弛んだりするのを可及的に防止できるので、被包装物を包装した後の側面フラップ付フィルムシート包装用袋の外観品質を高めることができるという優れた効果を有する。
本考案の側面フラップ付フィルムシート包装用袋は、被包装物を包装した後の側面フラップ付フィルムシート包装用袋の外観品質を高めることができるため、消費者に与える被包装物の商品イメージも高めることができるという優れた効果を有する。
本考案の側面フラップ付フィルムシート包装用袋は、側面シート部に側面フラップを形成したので、切込フラップ付フィルムシート包装用袋内に埃等が進入するのを可及的に防止できるという優れた効果を有する。
請求項２、請求項３の考案は、第１側面フラップ及び第２側面フラップの長さが短いので、上記優れた効果の他に簡単に第１側面フラップと第２側面フラップを折り曲げることができ、被包装物の出し入れを円滑に行うことができて被包装物の包装作業効率を向上できるという優れた効果を有する。
【図面の簡単な説明】
【０００６】
【図１】実施例の側面フラップ付フィルムシート包装用袋のフラット状態の正面図である。
【図２】実施例の側面フラップ付フィルムシート包装用袋のフラット状態の背面図である。
【図３】実施例の側面フラップ付フィルムシート包装用袋を立体状態にした時の全体斜視図である。
【図４】実施例の側面フラップ付フィルムシート包装用袋を包装状態の全体斜視図である。
【考案を実施するための形態】
【０００７】
考案を実施するために最良の形態の例として以下のような実施例を示す。
【実施例１】
【０００８】
図１〜図４には本考案に係る側面フラップ付フィルムシート包装用袋の一実施例が示されている。
図１及び図２に示されるように、この側面フラップ付フィルムシート包装用袋１０はフィルムシートで一体形成されている。
この側面フラップ付フィルムシート包装用袋１０は正面側の第１シート１２と、背面側の第２シート１４とを備えている。この第１シート１２と第２シート１４の一側には第１シール部１６が形成され、第１シート１２と第２シート１４の他側には第２シール部１８が形成されている。この第１シール部１６と第２シール部１８を形成することにより前記第１シート１２と前記第２シート１４は両側でシールされている。
また、側面フラップ付フィルムシート包装用袋１０の底部には底面部１９を形成する底面部形成第１側折線１９Ａ，底面部形成第２側折線１９Ｂ，底面部形成第３側折線１９Ｃが形成されている。
図１に示されるように、前記第１シート１２の中央部には正面シート部２０が形成されている。また、前記第１シート１２の一側部には第１側面シート部２２（図３参照）を構成する第１側面シート部第１片２２Ａが前記正面シート部２０と連続形成されている。また、前記第１シート１２の一側部の上部には前記正面シート部２０と第１側面シート部第１片２２Ａを区画可能な第１シート第１切込２４が上下方向に形成されている。
前記第１シート１２の他側部には第２側面シート部２６（図３参照）を構成する第２側面シート部第１片２６Ａが前記正面シート部２０と連続形成されている。前記第１シート１２の他側部の上部には前記正面シート部２０と前記第２側面シート部第１片２６Ａを区画可能な第１シート第２切込２８が上下方向に形成されている。
前記正面シート部２０の上部には収容開口部２９（図３参照）を覆って塞ぐ正面フラップ３０が正面シート部２０と連続形成されている。
図２に示されるように、前記第２シート１４の中央部には背面シート部３２が形成されている。また、前記第２シート１４の一側部には前記第１側面シート部２２を前記第１側面シート部第１片２２Ａと共に形成する第１側面シート部第２片２２Ｂが前記背面シート部３２と連続形成されている。また、前記第２シート１４の一側部の上部には前記第１シート第１切込２４に対応すると共に前記背面シート部３２と第１側面シート部第２片２２Ｂを区画可能な第２シート第１切込３４が上下方向に形成されている。
前記第２シート１４の他側部には前記第２側面シート部２６を前記第２側面シート部第１片２６Ａと共に形成する第２側面シート部第２片２６Ｂが前記背面シート部３２と連続形成されている。前記第２シート１４の他側部の上部には前記第１シート第２切込２８と対応すると共に前記背面シート部３２と第２側面シート部第２片２６Ｂを区画可能な第２シート第２切込３８が上下方向に形成されている。
前記背面シート部３２の上部には収容開口部２９を覆う背面フラップ４２が背面シート部３２と連続形成されている。この背面フラップ４２の高さ寸法は前記正面フラップ３０の高さ寸法の２倍以上に設定されている。
図１に示されるように、前記背面フラップ４２の上部正面側には横方向に粘着剤が塗布されて形成された粘着部４４が形成されている。この粘着部４４には剥離テープ４６が貼付され、粘着部４４が不用意に粘着するのを防止している。
図３に示されるように、前記第１シート第１切込２４と第２シート第１切込３４を形成することにより、前記第１側面シート部２２の上部には収容開口部２９の一部を覆う第１側面フラップ５０が連続形成されている。
また、前記第１シート第２切込２８と第２シート第２切込２８を形成することにより、前記第２側面シート部３２の上部には収容開口部２９の一部を覆う第２側面フラップ５２が連続形成されている。
この第１側面フラップ５０と第２側面フラップ５２は同じ長さ寸法に形成されている。また、前記第１側面フラップ５０と前記第２側面フラップ５２の長さ寸法（図３上下方向寸法）は共に前記正面シート部２０、前記背面シート部３２の幅方向寸法の１／３以下になるように設定されている。なお、この実施例においては、前記第１側面フラップ５０と前記第２側面フラップ５２の長さ寸法は３０ｍｍに設定され、前記正面シート部２０、前記背面シート部３２の幅方向寸法は１４５ｍｍ設定されている。
【０００９】
次に、前記側面フラップ付フィルムシート包装用袋１０の作用について説明する。
前記側面フラップ付フィルムシート包装用袋１０に被包装物１を収容して包装する場合は、フラット状の側面フラップ付フィルムシート包装用袋１０（図１、図２に示す状態）の第１シート１２と第２シート１４を互いに離間方向に引くことにより、側面フラップ付フィルムシート包装用袋１０の上部に形成された収容開口部２９から被包装物１（図４に想像線で示す）を入れる。
そして、第１側面フラップ５０と第２側面フラップ５２を折り曲げて被包装物１の天板部２（図４に想像線で示す）に配設する。
次に、正面フラップ３０を被包装物１の天板部２の上に配設してから、背面フラップ４２を正面フラップ３０に被せると共に剥離テープ４６を剥がして粘着部４４を正面シート部２０に貼付することにより、被包装物１の包装作業が終了する。
前記側面フラップ付フィルムシート包装用袋１０には第１側面シート部２２の上部に第１側面フラップ５０が形成され、第２側面シート部２６の上部には第２側面フラップ５２が形成されているので、第１側面シート部２２と第２側面シート部２６が外側に撓んだり、弛んだりすることなく包装できる。
従って、第１側面シート部２２と第２側面シート部２６の外観を維持できると共に包装後の側面フラップ付フィルムシート包装用袋１０の外観品質を高めることができる。しかも、包装後の見た目が被包装物１に対して側面フラップ付フィルムシート包装用袋１０がフィットして見えるのでより外観品質を高めることができる。
また、包装後の側面フラップ付フィルムシート包装用袋１０の外観品質を高めることができることにより、消費者に与える被包装物１の商品イメージも高めることができる。
また、第１側面フラップ５０と第２側面フラップ５２は短く形成されているので、簡単に第１側面フラップ５０と第２側面フラップ５２を折り曲げることができ、被包装物１の出し入れを円滑に行うことができると共に被包装物１の包装作業効率を図ることができる。
しかも、第１側面フラップ５０と第２側面フラップ５２が折り曲げられるので、側面フラップ付フィルムシート包装用袋１０内に埃等が浸入するのを防止できる。
【００１０】
なお、側面フラップ付フィルムシート包装用袋１０はフィルムシートであれば、フィルムシートの材料は限定されるものでないことは勿論である。
また、この実施例では前記第１側面フラップ５０と前記第２側面フラップ５２の長さ寸法を３０ｍｍに設定し、前記正面シート部２０、前記背面シート部３２の幅方向寸法を１４５ｍｍ設定したが、前記第１側面フラップ５０と前記第２側面フラップ５２の長さ寸法、前記正面シート部２０、前記背面シート部３２の長さ寸法は実施例に限定されるものでないことは勿論である。
【産業上の利用可能性】
【００１１】
本考案の側面フラップ付フィルムシート包装用袋は、立体的な被包装物以外の被包装物を包装する場合にも使用することができる。
【符号の説明】
【００１２】
１０    側面フラップ付フィルムシート包装用袋
１２    第１シート
１４    第２シート
１６    第１シール部
１８    第２シール部
１９    底面部
１９Ａ  底面部形成第１側折線
１９Ｂ  底面部形成第２側折線
１９Ｃ  底面部形成第３側折線
２０    正面シート部
２２    第１側面シート部
２２Ａ  第１側面シート部第１片
２２Ｂ  第１側面シート部第２片
２４    第１シート第１切込
２６    第２側面シート部
２６Ｂ  第２側面シート部第２片
２８    第１シート第２切込
２９    収容開口部
３０    正面フラップ
３２    背面シート部
３４    第２シート第１切込
３８    第２シート第２切込
４２    背面フラップ
４４    粘着部
４６    剥離テープ
５０    第１側面フラップ
５２    第２側面フラップ
【図１】
0003186273.tif 000003
【図２】
0003186273.tif 000004
【図３】
0003186273.tif 000005
【図４】
0003186273.tif 000006